(57)【要約】      （修正有） 【課題】カメラの取り付けレンズの前に取り付けて、露出制御用の黒色カード、もしくはスリットが形成された露出制御カードの機能が得られるカード式自動露出制御装置を提供する。【解決手段】露出撮影を提供する自動露出制御装置１は、ハウジング１０と制御手段１６とを含み、該ハウジングは、レンズの先端部を嵌挿入して該レンズの外周面に取り付けるための取り付け口１１を具え、該ハウジングの横方向の両側にスライドレール１３を設け、該スライドレール内に上下方向に摺動自在に設けられ、かつ該取り付け口の前端側に位置する露出制御カード１２を具えるとともに、該ハウジングに該露出制御カードを連動させるモータ伝動セットと若干の位置制限機構を内設し、該制御手段は該ハウジングに電気的に接続し、かつ該制御手段に該露出制御カードが起動して該レンズの前で一方向に移動し、上下方向に往復運動してシェイクし、停止する動作の全自動工程を設定する。【選択図】図１
0003213413.tif 000002
【実用新案登録請求の範囲】
【請求項１】
カメラのレンズの前に取り付けられ、露出撮影を提供する自動露出制御装置であって、ハウジングと制御手段とを含んでなり、
該ハウジングは、レンズの先端部を嵌挿入して該レンズの外周面に取り付けるための取り付け口を具え、該ハウジングの横方向の両側にスライドレールを設け、該スライドレール内に上下方向に摺動自在に設けられ、かつ該取り付け口の前端側に位置する露出制御カードを具えるとともに、該ハウジングに該露出制御カードを連動させるモータ伝動セットと若干の位置制限機構を内設し、
該制御手段は該ハウジングに電気的に接続し、かつ該制御手段に該露出制御カードが起動して該レンズの前で一方向に移動し、上下方向に往復運動してシェイクし、停止する動作の全自動工程を設定することを特徴とするカード式自動露出制御装置。
【請求項２】
前記ハウジングに、該露出制御カードの位置を調整する調整ボタンを設けることを特徴とする請求項１に記載のカード式自動露出制御装置。
【請求項３】
前記取付け口に調整ボルトを設けて該レンズに締結して固定することを特徴とする請求項１に記載のカード式自動露出制御装置。
【請求項４】
前記モータ伝動セットが、ガイド桿上を摺動するスライドブロックを含み、該露出制御カードに凸点を形成し、
該モータ伝動セットが、モータの動力をガイド桿上の該スライドブロックに伝え、該スライドブロックによって動力が該凸点に伝わり、該露出制御カードが該レンズの前で上下方向に移動し、
該位置制限機構が、該スライドブロックにタッチする上マイクロスイッチと、中マイクロスイッチと、下マイクロスイッチとを含み、それぞれ該制御手段に電気的に接続することを特徴とする請求項１に記載のカード式自動露出制御装置。
【請求項５】
前記露出制御カードが写真撮影用の黒色カードか、スリットの形成された露出制御カードであって、
該制御手段がタイマーと、モータ回転速度コントローラとを内蔵し、
該制御手段に黒色カードを自動的にシェイクするモードと、スリットが形成された露出制御カードを自動的にシェイクするモードとが設定されて選択に供され、これらモードの選択に対応して該制御手段が作動することを特徴とする請求項４に記載のカード式自動露出制御装置。
【請求項６】
前記制御手段に対して該黒色カードによるモードを選択し、該タイマーに第１段階の暗い部分の第１露出時間と、第２段の明るい部分の第２露出時間と、及びシェイクする幅と時間のパラメータとを設定し、設定した後該制御手段を起動してカメラの該レンズによる写真撮影を行なうと、該スライドブロックが上方向に移動して該黒色カードを該中マイクロスイッチにタッチする位置に至るまで上方向に移動させ、該タイマーが該第１段階の暗い部分の該第１露出時間を表示し、かつ時間を計測してカウントダウンを始め。モータがシェイクする幅と時間の該パラメータによる時間設定に基づいて正、逆回転を繰り返し。該スライドブロックが連動して該黒色カードが該レンズの前で調整した暗い部分と明るい部分の間を上下に移動してシェイクし、カウントダウンがゼロになると、該モータ伝動セットによって該スライドブロックが動き、連動して該黒色カードが該上マイクロスイッチにタッチする位置まで迅速に上昇し、該タイマーが通知を受けて該第２段の明るい部分の該第２露出時間を表示し、かつカウントダウンを始め、カウントダウンがゼロになると、該モータ伝動セットが該スライドブロックを該下マイクロスイッチの位置に至るまで下方に移動させ、該黒色カードがスタンバイ位置に戻り、次の１枚の撮影に備えることを特徴とする請求項５に記載のカード式自動露出制御装置。
【請求項７】
前記制御手段に該スリットカードの第１段速度と第２段速度と、及び低速から高速に変わるバッファタイムを設定し、設定した後、設定した後該制御手段を起動してカメラの該レンズによる写真撮影を行なうと、該モータ回転速度コントローラが設定に基づいて該モータ伝動セットのモータに通知して該第１段速度で正回転させることで該スライドブロックが上方に移動してカメラの該レンズを介して露出が始まり、該スライドブロックが継続して上方に移動して該中マイクロスイッチにタッチすると、該モータが該第１段速度で逆回転し、該スライドブロックを該下マイクロスイッチにタッチするまで移動させ、さらに該モータが再度第１段速度で正回転して該スライドブロックが該中マイクロスイッチにタッチするまで移動し、該スライドブロックが該中マイクロスイッチにタッチすると、該モータが該第２段速度で正回転し、該スライドブロックが一番上の該上マイクロスイッチにタッチするまで移動し、次いで該モータが逆回転して該スライドブロックを一番下に移動させて１回目の撮影が終了することを特徴とする請求項５に記載のカード式自動露出制御装置。
【考案の詳細な説明】
【技術分野】
【０００１】
この考案は、写真撮影用の露出制御装置に関し、特に、露出制御用の黒色カード、もしくはスリットが形成された露出制御カードを具え、カメラに取り付けて使用するカード式自動露出制御装置に関する。
こ
【背景技術】
【０００２】
目下、常用されている全自動のコンパクトカメラ、または一眼レフカメラについて、その正確な露出時間を得ることは一枚の写真の成功を握る鍵となる。一般的な状況下では、カメラに内蔵された測光手段による機能によって正確な露出時間が得られる、但し、夜明け、又は夕暮れなどコントラストが大きな場面で撮影しようとすれば、空の明るい部分の露出時間を正確に得ても、地面の暗い部分は露出時間が不足する。例えば、日の出を撮影する場合、空が未だ明るくなっていないときが黒色カードを上下移動させる撮影方式を用いる時機である。空が明るくなるにつれて黒色カードを上下移動させる時間は本来の何分かから徐々に短くなり何秒かになる。太陽が昇る前の何分かは、すでに空が明るくなっている。よって黒色カードを上下移動させる時間は何秒かだけになっている。よって、スリットが形成された露出制御カードに変更すべきである。スリットが形成された露出制御カードは、黒色カードよりやや大きく、中央の位置を刳り貫いて５から８ｃｍ幅の矩形状のスリットが形成されて、かつ黒色カードのフランネル生地を貼着してなる。
【０００３】
黒色カードを選択して撮影する場合は、ロケーションの暗部の露出に６０秒必要とし、空が明るくなってからの露出に２秒必要とする。リモートレリーズを使用して露出時間を６０秒に設定し、シャッターを押す前に黒色カードをレンズの前に置き、空を遮ってからシャッターを押す。この場合時間を測り、５８秒後に黒色カードを取り去り、２秒後に露出が終了する。
【０００４】
上述する方法で目的を達成することができるが、但し、黒色カードが完全に静止して動かないと、明暗の交錯する位置に１本の線が明らかに映る。一般に黒色カード線と呼ばれている。この黒色カード線を消去する方法として、６〜１０ｍｍの幅で黒色カードを上下方向に往復運動させる。係る技法を撮影の技術用語でカードシェイクと呼ぶ。カードシェイクの技法を思えるのは容易でない。シャッターが開く前にファインダー、又はモニターで黒色カードの位置を調整することができるが、但し撮影が始まればファインダー、又はモニターは黒くなり黒色カードの位置が正確か確認することができなくなる。よって、感に頼ってシェイクしなければならない。黒色カードをシェイクする時間は比較的短く３〜５秒である。長い場合は１〜２分で、数十分になる場合もある。初心者は、正確なシェイクの幅、又は位置が得られず失敗することが多い。経験豊かなベテランであっても、日の出を撮影するために手がだるくなることが多い。現時点に至るまで、黒色カードをシェイクする技法は、黒色カードを手にして弛まぬ練習を積み重ねるしかなく、失敗を繰り返し、経験を積んでこそ、初めてそれなりの成果が得られる。
【０００５】
スリットが形成された露出制御カードを選択して撮影する場合、一方の手に該露出制御カードを持ち、他方の手にリモートレリーズを持ち、該露出制御カードに形成されたスリットより上の部分でレンズを覆う。この場合、レンズを完全に遮蔽し光線が漏れないようにしなければならない。係る準備の動作を終えてから、シャッターを開き、該露出制御カードを上方に移動させると、スリットがレンズの上を下から上に移動する。移動する速度によって光線のカメラに進入する量の多寡が決まる。通常はシャッターを起動してから、上方にゆっくり移動させ、地面の景色から進入する光線の量を多めにし、さらに移動して空の部分至った場合は、空の部分が露出過多にならないように移動を加速させ、スリットがレンズを観戦に通過したあとシャッターを開放する。
【０００６】
スリットが形成された露出制御カードの操作は、黒色カードの操作に比して難しい。両手を併用しなければならず、さらには安定した一定の速度で該露出制御カードを移動させ、明暗が交錯する位置に至ると、別の速度で、かつ安定した一定の速度に変更して移動させなければならない。一枚の撮影が完了した時点で、地面の景色が暗く、空が十分な明るさであれば、次の１枚の撮影において、地面の景色についてカード移動させる速度をさらに遅くし、一方で空の部分については、その前の１枚の撮影における移動速度と同一の速度を維持しなければならない。ゆっくり移動させ、速度上げるタイミングも一致させなければならない。係る手法は完全に手の感覚に頼るものであるため、失敗する場合も多い。暗部の移動速度が速すぎるか、遅すぎるか、さもなければ明るい部分の移動速度が速すぎるか、遅すぎる。たとい移動させる速度が正確であっても、明暗が交錯する部分のタイミングを誤ってもいけない。スリットが形成された露出制御カードの使用には、さらに多くの練習を必要とする。
【考案の概要】
【考案が解決しようとする課題】
【０００７】
この考案は、カメラの取り付けレンズの前に取り付けて、露出制御用の黒色カード、もしくはスリットが形成された露出制御カードの機能が得られるカード式自動露出制御装置を提供することを課題とする。
【課題を解決するための手段】
【０００８】
上述する課題を解決するために、この考案の提供するカード式自動露出制御装置は、カメラのレンズの前に取り付けられ、露出撮影を提供する自動露出制御装置であって、ハウジングと制御手段とを含んでなり、該ハウジングは、レンズの先端部を嵌挿入して該レンズの外周面に取り付けるための取り付け口を具え、該ハウジングの横方向の両側にスライドレールを設け、該スライドレール内に上下方向に摺動自在に設けられ、かつ該取り付け口の前端側に位置する露出制御カードを具えるとともに、該ハウジングに該露出制御カードを連動させるモータ伝動セットと若干の位置制限機構を内設する。
【０００９】
該制御手段は該ハウジングに電気的に接続し、かつ該制御手段に該露出制御カードが起動して該レンズの前で一方向に移動し、上下方向に往復運動してシェイクし、停止する動作の全自動工程を設定する。
【００１０】
該ハウジングには、該露出制御カードの位置を調整する調整ボタンを設ける。
【００１１】
該取付け口には、調整ボルトを設けて該レンズに締結して固定する。
【００１２】
該モータ伝動セットが、ガイド桿上を摺動するスライドブロックを含み、該露出制御カードに凸点を形成し、該モータ伝動セットが、モータの動力をガイド桿上の該スライドブロックに伝え、該スライドブロックによって動力が該凸点に伝わり、該露出制御カードが該レンズの前で上下方向に移動し、該位置制限機構が、該スライドブロックにタッチする上マイクロスイッチと、中マイクロスイッチと、下マイクロスイッチとを含み、それぞれ該制御手段に電気的に接続する。
【００１３】
該記露出制御カードが写真撮影用の黒色カードか、スリットが形成された露出制御カードであって、該制御手段がタイマーと、モータ回転速度コントローラとを内蔵し、該制御手段に黒色カードを自動的にシェイクするモードと、スリットが形成された露出制御カードを自動的にシェイクするモードとが設定されて選択に供され、これらモードの選択に対応して該制御手段が作動する。
【００１４】
該制御手段に対して該黒色カードによるモードを選択する場合は、該タイマーに第１段階の暗い部分の第１露出時間と、第２段の明るい部分の第２露出時間と、及びシェイクする幅と時間のパラメータとを設定し、設定した後該制御手段を起動してカメラの該レンズによる写真撮影を行なうと、該スライドブロックが上方向に移動して該黒色カードを該中マイクロスイッチにタッチする位置に至るまで上方向に移動させ、該タイマーが該第１段階の暗い部分の該第１露出時間を表示し、かつ時間を計測してカウントダウンを始め。モータがシェイクする幅と時間の該パラメータによる時間設定に基づいて正、逆回転を繰り返し。該スライドブロックが連動して該黒色カードが該レンズの前で調整した暗い部分と明るい部分の間を上下に移動してシェイクし、カウントダウンがゼロになると、該モータ伝動セットによって該スライドブロックが動き、連動して該黒色カードが該上マイクロスイッチにタッチする位置まで迅速に上昇し、該タイマーが通知を受けて該第２段の明るい部分の該第２露出時間を表示し、かつカウントダウンを始め、カウントダウンがゼロになると、該モータ伝動セットが該スライドブロックを該下マイクロスイッチの位置に至るまで下方に移動させ、該黒色カードがスタンバイ位置に戻り、次の１枚の撮影に備える。
【００１５】
該制御手段に対して該スリットカードによるモードを選択する場合は、該制御手段に該スリットカードの第１段速度と第２段速度と、及び低速から高速に変わるバッファタイムを設定し、設定した後、設定した後該制御手段を起動してカメラの該レンズによる写真撮影を行なうと、該モータ回転速度コントローラが設定に基づいて該モータ伝動セットのモータに通知し、該第１段速度で正回転させることで該スライドブロックが上方に移動してカメラの該レンズを介して露出が始まり、該スライドブロックが継続して上方に移動して該中マイクロスイッチにタッチすると、該モータが該第１段速度で逆回転し、該スライドブロックを該下マイクロスイッチにタッチするまで移動させ、さらに該モータが再度第１段速度で正回転して該スライドブロックが該中マイクロスイッチにタッチするまで移動し、該スライドブロックが該中マイクロスイッチにタッチすると、該モータが該第２段速度で正回転し、該スライドブロックが一番上の該上マイクロスイッチにタッチするまで移動し、次いで該モータが逆回転して該スライドブロックを一番下に移動させて１回目の撮影が終了する。
【考案の効果】
【００１６】
この考案は、一種の便利な写真撮影用のツールであって、カメラのレンズの先端部に取り付け、露出制御用の黒色カードとスリットカードによる二種類のモードで露出撮影を行なうカード式自動露出制御装置を提供するものである。露出制御用の黒色カードとスリットカードを用いることで、極めて大きな利便性が得られ、黒色カードを使用する技法が容易となる。被写体の明るい部分と暗い部分の露出と、及び相対的な位置と上下にシェイクする移動の幅を分配するだけで、安定した写真撮影を自動で行うことができ、素早く効果が得られる。しかも、スリットカードを応用する場合についても写真撮影が容易になる。撮影する暗い部分と明るい部分の移動速度をそれぞれ設定し、また加速点の位置と、低速から高速に変わるバッファタイムを調整することで、スリットカードの機能と効果が得られる。これら機能が得られることによって、写真撮影における失敗と負担を減少させることができ、練習を積み重ねたような成果が、初心者でも素早く得られる。
【図面の簡単な説明】
【００１７】
【図１】この考案によるカード式自動露出制御装置の構成を示した説明図である。
【図２】この考案のハウジング内のモータ伝動セットと位置制限機構の構造を示した説明図である。
【図３】この考案において黒色カードを選択した場合の使用態様を示した説明図である。
【図４】この考案において黒色カードを使用した状態を示した説明図である。
【図５】この考案における黒色カードによる露出制御モードの制御手段の設定を示した説明図である。
【図６】この考案においてスリットカードを使用した状態を示した説明図である。
【図７】この考案におけるスリットカードによる露出制御モードの制御手段の設定を示した説明図である。
【考案を実施するための形態】
【実施例】
【００１８】
図１から図７を合わせ参照し、この考案の提供するカード式自動露出制御装置について説明する。図１から３に開示するように、この考案によるカード式自動露出制御装置１は、カメラのレンズ２の前に位置するように取り付けられ、露出撮影を提供する自動露出制御装置であって、ハウジング１０を含んでなる。ハウジング１０は取り付け口１１を具え、取り付け口１１にレンズ２の先端部を嵌挿入して、レンズ２の外周面に取り付ける。また、取り付け口１１には調整ボルト１１０を設け、調整ボルト１１０で締結してレンズ２に固定する。
【００１９】
また、取り付け口１１の前端側には、露出制御カード１２を設ける。即ち、ハウジング１０の横方向の両側にスライドレール１３を設け、露出制御カード１２をスライドレール１３に、上下方向に摺動自在に設ける。
【００２０】
ハウジング１０には、露出制御カード１２を動かすためにモータ伝動セット１４と、若干の位置制限機構１５とを内設するとともに、ハウジング１０には、電気的に接続する制御手段１６を設ける。制御手段１６が電気的に接続していることを、図面においては一点鎖線で表示する。制御手段１６には、ハウジング１０に電気的に接続して露出制御カード１２を動かすモータ伝動セット１４と若干の位置制限機構１５を起動させ、カード１２をレンズの前で上下に摺動させて、一方向に移動し、上下に往復運動してシェイクし、停止する動作の全自動工程を行なうよう設定する。
【００２１】
モータ伝動セット１４は、モータ１４０と、伝動ベルト１４１と、ローラ１４２と、及びガイド桿１４３上を摺動するスライドブロック１４４とを含む。露出制御カード１２は、写真撮影の露出制御用の黒色カードか、もしくはスリットが形成された露出制御カードを含む、即ち、図１に開示する黒色カード１２０か、又はスリットカード１２１である。また露出制御カード１２には凸点１２２を形成する。
【００２２】
モータ伝動セット１４は、伝動ベルト１４１によって、かつローラ１４２を介してモータ１４０の動力をガイド桿１４３上のスライドブロック１４４に伝え、スライドブロック１４４によって動力が凸点１２２に伝わり、凸点１２２がハウジング１０に設けたレール溝１００内を移動して露出制御カード１２がレンズ２の前で上下に摺動する。
【００２３】
ハウジング１０には、露出制御カード１２の位置を調整するために調整ボタン１７を設ける。位置制限機構１５は、スライドブロック１４４にタッチする上マイクロスイッチ１５０と、中マイクロスイッチ１５１と、下マイクロスイッチ１５２とを含み、それぞれ制御手段１６に電気的に接続する。中マイクロスイッチ１５１は、調整ボタン１７による位置調整の作用を受ける位置に設ける中マイクロスイッチ座１５３上に設ける。位置調整ボタン１７は、ボルト１５４を介して中マイクロスイッチ座１５３を連動させる。
【００２４】
図４から図７に開示するように、この考案は露出制御用の黒色カードを自動的にシェイクするモードと、スリットが形成された露出制御カードを自動的にシェイクするモードとを提供する。制御手段１６には、タイマー１６０と、モータ回転速度コントローラ１６１を内蔵し、制御手段１６に設定した黒色カードを自動的にシェイクするモードと、スリットが形成された露出制御カードを自動的にシェイクするモードとの選択に対応して作動する。制御手段１６は若干の位置制限機構１５からのフィードバックによってスライドブロック１４４の移動する位置を知ることができる。
【００２５】
この考案による装置は、写真撮影の操作を行なう前に、予めハウジング１０をレンズ２に取り付ける。制御手段１６をオンにすると、モータ伝動セット１４がスライドブロック１４４を動かし、下マイクロスイッチ１５２の位置に至るまで下方に移動させて、下マイクロスイッチ１５２の位置をスタンバイ位置とする。
【００２６】
また、制御手段１６をオンにすると、黒色カードを自動的にシェイクするモードか、スリットが形成された露出制御カードを自動的にシェイクするモードか、選択することができ、これらモードにおける設定に基づいて撮影のための動作が自動的に進行する。
【００２７】
また、制御手段１６のタイマー１６０には、レンズ２によって撮影するロケーションの明るい部分の露出時間と暗い部分の露出時間を分配して設定する。これら時間は、それぞれ黒色カード１２０が自動的に移動してレンズ２を遮蔽する作動時間に対応する。
【００２８】
黒色カード１２０、又はスリットカード１２１は、制御手段１６への設定に基づき、モータ伝動セット１４によって動かされ、レンズ２の前で自動的にスライド１３を上下に移動する。スライドブロック１４４は下マイクロスイッチ１５２の位置のスタンバイ位置からガイド桿１４３に沿って、中マイクとスイッチ１５１と上マイクロスイッチ１５０とにそれぞれタッチする。係る動作に対応して制御手段１６はモータ１４０に正、逆回転、又は回転速度の高速、低速の変化を通知してスライドブロック１４４の進行方向、又は移動速度に作用を与える。
【００２９】
図４、５に開示するように、露出制御用の黒色カードを自動的にシェイクするモードを実施する場合、制御手段１６に対して該黒色カードによるモードを選択し、タイマー１６０に第１段階の暗い部分の第１露出時間１６２と、第２段の明るい部分の第２露出時間１６３と、及びシェイクする幅と時間のパラメータ１６４を設定する。例えば、第１段階の暗い部分の第１露出時間１６２を５８秒に設定し、第２段の明るい部分の第２露出時間１６３を２秒に設定し、調整ボタン１７によって黒色カード１２０がレンズ２の前で上下に移動してシェイクする位置を設定し、シェイクする幅と時間のパラメータ１６４によってスライドブロック１４４が上下にシェイクする移動の幅を設定する。さらに、位置制限機構１５と合わせてロケーションでの撮影効果を最適にする。該パラメータの設定値が大きくなるほど黒色カード１２０の上下に移動してシェイクする幅が大きくなり、よって、前掲の明暗の交錯する位置に１本の線が明らかに映る現象、いわゆる黒色カード線を消去することができる。
【００３０】
上述する設定を行なった後、制御手段１６を起動させてカメラのレンズ２によって撮影を行なう。制御手段１６の起動ボタン１６５を押下すると、スライドブロック１４４が上方向に移動して黒色カード１２０を中マイクロスイッチ１５１にタッチする位置に至るまで上方向に移動させる。
【００３１】
この場合、タイマー１６０は、第１段階の暗い部分の第１露出時間１６２を表示し、かつ時間を計測してカウントダウンを始める。モータ１４０はシェイクする幅と時間のパラメータ１６４による時間設定に基づいて正、逆回転を繰り返し。スライドブロック１４４が連動し、黒色カード１２０がレンズ２の前で調整した暗い部分と明るい部分の間を上下に移動してシェイクする。カウントダウンがゼロになると、モータ伝動セット１２０はスライドブロック１４４動かし、黒色カード１２０を連動させ、上マイクロスイッチ１５０にタッチする位置まで迅速に上昇させる。次いでタイマー１６０が通知を受けて第２段の明るい部分の第２露出時間１６３を表示し、かつカウントダウンを始める。カウントダウンがゼロになると、モータ伝動セット１４はスライドブロック１４４を下マイクロスイッチ１５２の位置に至るまで下方に移動させ、黒色カード１２０はスタンバイ位置に戻り、次の１枚の撮影に備える。
【００３２】
図６、７に開示するように、スリットが形成された露出制御カードを自動的にシェイクするモードを応用する場合は、前述のスリットが形成された露出制御カードを使用するタイミングに合わせて、黒色カードをこの考案特製のスリットカード１２１に交換して写真撮影を行なう。スリットカード１２１は、中央の位置に５〜８ｍｍ幅の矩形のスリットを形成し、かつ表面に黒色のフランネル生地を貼着してなる。また、スリットカード１２２には凸点１２２を形成する。
【００３３】
スリットカード１２２は、ハウジング１０のスライドレール１３とレール溝１００に設け、モータ伝動セット１４がスライドブロック１４４を動かすと、スリットカード１２１の凸点１２２がハウジング１０のレール溝１００内を移動する。
【００３４】
この考案において、スリットが形成された露出制御カードを自動的にシェイクするモードを実施する場合は、制御手段１６にスリットカード１２１の第１段速度１６６と第２段速度１６７と、及び低速から高速に変わるバッファタイムを設定する。設定した後、制御手段１６によってレンズ２を起動して撮影する。制御手段１６の起動ボタン１６５を押下すると、モータ回転速度コントローラ１６１が設定に基づいてモータ伝動セット１４のモータ１４０に通知して第１段速度１６６で正回転させ、スライドブロック１４４が上方に移動し、かつ連動してスリットカード１２１が上方に移動する。この場合、レンズ２を介した露出が始まる。
【００３５】
次いで、スライドブロック１４４が継続して上方に移動して中マイクロスイッチ１５１にタッチすると、モータ１４０は第１段速度１６６で逆回転し、スライドブロック１４４を下マイクロスイッチ１５２にタッチするまで移動させる。この場合、モータ１４０は再度第１段速度１６６で正回転し、スライドブロック１４４が中マイクロスイッチ１５１にタッチするまで移動する。スライドブロック１４４が中マイクロスイッチ１５１にタッチすると、モータ１４０は第２段速度１６７で正回転し、スライドブロック１４４が一番上の上マイクロスイッチ１５０にタッチするまで移動して撮影が終了し、次いでモータ１４０が逆回転してスライドブロック１４４が一番下に移動して１回目の撮影が終了する。この撮影結果に基づいて次の１枚の撮影の数値を決定し、加速点の位置を調整する。係る手法によれば、３〜４枚撮影するだけで、完璧な写真撮影を行なうことができる。該加速点は、制御手段１６によって遅延時間パラメータ１６８を設定して切換時間の長短を設定する。
【００３６】
この考案は、一種の便利な写真撮影用のツールであって、カメラのレンズの先端部に取り付け、露出制御用の黒色カードとスリットカードによる二種類のモードで露出撮影を行なうカード式自動露出制御装置を提供するものである。露出制御用の黒色カードとスリットカードを用いることで、極めて大きな利便性が得られ、黒色カードを使用する技法が容易となる。被写体の明るい部分と暗い部分の露出と、及び相対的な位置と上下にシェイクする移動の幅を分配するだけで、安定した写真撮影を自動で行うことができ、素早く効果が得られる。しかも、スリットカードを応用する場合についても写真撮影が容易になる。撮影する暗い部分と明るい部分の移動速度をそれぞれ設定し、また加速点の位置と、低速から高速に変わるバッファタイムを調整することで、スリットカードの機能と効果が得られる。これら機能が得られることによって、写真撮影における失敗と負担を減少させることができ、練習を積み重ねたような成果が、初心者でも素早く得られる。
【００３７】
ここで特に説明しておくべきこととして、以上はこの考案の好ましい実施の形態について図面を参照にして説明し、この考案の技術内容と技術手段を明らかにしたものである。但し、この考案の実施の範囲を限定するものではない。凡そ、この考案の構造の細部に対する修正、変更、もしくは均等の効果を有する他の部材を以てなす交換、置き換えなどであって、発生する機能の作用がこの考案の明細書の記載、図面の開示、考案の精神を超えることのないものは、いずれもこの考案の実用新案登録請求の範囲に含まれるものとする。
【符号の説明】
【００３８】
１          カード式自動露出制御装置
１０        ハウジング
１００      レール溝
１１        取り付け口
１１０      調整ボルト
１２        露出制御カード
１２０       黒色カード
１２１      スリットカード
１２２      凸点
１３        スライドレール
１４        モータ伝動セット
１４０      モータ
１４１       伝動ベルト
１４２       ローラ
１４３       ガイド桿
１４４       スライドブロック
１５          位置制限機構
１５０       上マイクロスイッチ
１５１       中マイクロスイッチ
１５２       下マイクロスイッチ
１５３ 中マイクロスイッチ座
１５４ ボルト
１６  制御手段
１６０ タイマー
１６１ モータ回転速度コントローラ
１６２ 第１露出時間
１６３ 第２露出時間
１６４ シェイクする幅と時間のパラメータ
１６５ 起動ボタン
１６６ 第１段速度
１６７ 第２段速度
１６８ 遅延時間パラメータ
１７  調整ボタン
２    レンズ
【図１】
0003213413.tif 000003
【図２】
0003213413.tif 000004
【図３】
0003213413.tif 000005
【図４】
0003213413.tif 000006
【図５】
0003213413.tif 000007
【図６】
0003213413.tif 000008
【図７】
0003213413.tif 000009